(57)【特許請求の範囲】
【請求項１】
主磁極と補助磁極とを備えた記録ヘッドと、再生素子を備えた再生ヘッドとを有し、前記主磁極は浮上面に平行な断面積が浮上面に向かって減少する絞込み部分を有し、
該絞込み部分の最も浮上面に近い位置から主磁極浮上面までの距離を主磁極浮上面の面積で割った比が0より大きくかつ0.002[nm-1]より小さいことで、前記主磁極内で浮上面に対して垂直方向の残留磁化成分が減少することを特徴とする単磁極型磁気ヘッド。
【請求項２】
請求項１に記載の単磁極ヘッドと、磁気抵抗効果型再生素子を備えた再生ヘッドとを搭載した磁気ヘッドスライダ。
【請求項３】
請求項１に記載の単磁極ヘッドおよび磁気抵抗効果型再生素子を備えた再生ヘッドを搭載した磁気ヘッドスライダと、該磁気ヘッドスライダを支持するジンバルと、該ジンバルを固定するサスペンションとを備えたヘッド・アッセンブリ。
【請求項４】
請求項１に記載の単磁極ヘッドと、軟磁性裏打層と磁性層とを有する二層垂直磁気記録媒体と、該記録媒体を一定方向に回転駆動する駆動装置とを備えた磁気ディスク装置。
【発明の詳細な説明】
【０００１】
【発明の属する技術分野】
本発明は、垂直記録用磁気ヘッドとその作製方法及びその垂直記録用磁気ヘッドを搭載した磁気ディスク装置に関するものである。
【０００２】
【従来の技術】
磁気ディスク装置では、記録媒体上のデ−タは磁気ヘッドによって読み書きされる。磁気ディスクの単位面積当たりの記録容量を多くするためには、面記録密度を高密度化する必要がある。しかしながら、現状の面内記録方式では、記録されるビット長が小さくなると、媒体の磁化の熱揺らぎのために面記録密度があげられない問題がある。この問題の解決のために媒体に垂直な方向に磁化信号を記録する垂直記録方式がある。
垂直記録方式には、記録媒体として軟磁性の裏打層を備えた二層垂直媒体を用いる方式と、裏打層を有さない単層垂直媒体を用いる方式の２種類があるが、記録媒体として二層垂直媒体を用いる場合には、主磁極と補助磁極とを備えたいわゆる単磁極ヘッドを用いて記録を行う必要がある。また、記録密度の向上のためには、垂直記録においてもトラック密度と線記録密度を向上する必要があるが、トラック密度向上のためには、磁気ヘッドの狭トラック化が必須である。
一方、狭トラック化が進むにつれて記録電流非印加時に主磁極の残留磁化により発生する残留磁界が大きくなるという現象がある。このような現象は、例えば、46th Annual Conference on Magnetism and Magnetic Materials の講演番号ＡＢ-１０で報告されている。図２には、記録電流をオフした際に、主磁極に残留する磁化により発生する磁界（以下、残留磁界と略す）と記録トラック幅との関係を示した。残留磁界が大きくなると、残留磁界が垂直記録媒体上の記録情報を消去するという問題が生じ、高密度記録を実現する際の大きな障害となる。
特開２００１−２９１２１２号には、ヘッドの磁極形状を矩形にし、その伸張化を抑えることにより、残留磁界の発生を抑制する技術が開示されている。
【０００３】
【発明が解決しようとする課題】
特開２００１−２９１２１２号公報に記載の磁気ヘッドは、記録磁極に磁束絞り部分がないため大きな磁界強度の記録磁界が発生できない。
【０００４】
そこで、本発明は、記録磁界強度を減少させずに垂直記録媒体上の記録情報が消去するという問題が生じない垂直記録用磁気ヘッドとその垂直記録用磁気ヘッドを搭載した磁気ディスク装置を提供するものである。
【０００５】
【課題を解決するための手段】
本発明では、主磁極と補助磁極とを備えた記録ヘッドと、再生素子を備えた再生ヘッドとを有し、前記主磁極において浮上面に平行な断面積が浮上面に向かって減少する絞込み部分を有し、該絞込み部分の最も浮上面に近い位置から主磁極浮上面までの距離を、主磁極浮上面の面積で割った比が0より大きくかつ0.002[nm-1]より小さい構造とする。絞り込み部があるため、絞り込み部が無い構造の磁気ヘッドに比べてより大きな強度の記録磁界を発生できる。また、上記の比を0より大きくかつ0.002[nm-1]より小さい範囲にすることにより、残留磁化の向きがABS面と平行になるように還流するようになるため、残留磁界を抑制する事ができる。
本発明の発明者らは、主磁極先端の磁化状態をマイクロマグネティックスシミュレーションを用いて計算し、前記主磁極と補助磁極とを備えた記録ヘッドと、再生素子を備えた再生ヘッドとを有し、前記主磁極において浮上面に平行な断面積が浮上面に向かって減少する絞込み部分を有し、該絞込み部分の最も浮上面に近い位置から主磁極浮上面までの距離と、主磁極浮上面の面積の比が0より大きくかつ0.002[nm-1]より小さい構造であれば残留磁界を記録磁界強度１０％以下に低減できることを見いだした。このような主磁極形状の単磁極型ヘッドを用いることにより、残留磁界により垂直記録媒体上の記録情報が消去するという問題が生じない垂直記録用磁気ヘッドを提供できる。さらに、このような単磁極型ヘッドを搭載することにより、従来よりもトラック密度の向上した磁気ディスク装置を提供できる。
【０００６】
【発明の実施の形態】
（実施例１）
以下、図面を用いて本発明を説明する。図３は本発明を用いた磁気ディスク装置の概念の概略図である（但し、図の拡大倍率は均一では無い）。磁気ディスク装置は、磁気ディスク１１上に、サスペンションアーム１２の先端に固定されたスライダー１３に搭載された磁気ヘッド１４によって磁化信号の記録再生を行なう。図４に垂直記録用磁気ヘッドと磁気ディスクとの関係の概略図を示す（但し、図の拡大倍率は均一では無い）。図５には、垂直記録の概略図を示す。主磁極からでた磁界は記録層、裏打ち層を通り、補助磁極である上部シールド３に入る磁気回路を形成し、記録層に磁化パターンを記録する。記録層と裏打層の間には中間層が形成されている場合もある。
図６は一般的な単磁極ヘッドのトラック中心位置での記録磁界分布を示している。縦軸は記録磁界強度の最大値で規格化してある。図６より、補助磁極には主磁極で発生する記録磁界の最大値に対して１０％〜２０％程度の磁界が発生していることが分かるが、補助磁極によっては記録後消去の問題は発生していない。例えば、補助磁極のトラック幅方向の長さは主磁極よりもかなり大きいが、補助磁極から発生する残留磁界によって隣接トラックが消去されるような現象は起きていない。従って、主磁極の残留磁界強度を、補助磁極で発生する記録磁界の最小値である１０％（主磁極で発生する最大磁界に対して）以下にできれば、記録後消去は完全に防止できると考えられる。
図１は、主磁極において浮上面に平行な断面積が浮上面に向かって減少する絞込み部分の最も浮上面に近い位置から主磁極浮上面までの距離と、主磁極浮上面の面積との比と残留磁界強度の関係を示した図である。縦軸は、同じ構造のヘッドの記録磁界強度で規格化した値である。図７には主磁極において浮上面に平行な断面積が浮上面に向かって減少する絞込み部分の最も浮上面に近い位置から主磁極浮上面までの距離３３を示している。主磁極において浮上面に平行な断面積が浮上面に向かって減少する絞込み部分の最も浮上面に近い位置から主磁極浮上面までの距離と、主磁極浮上面の面積との比を0.002[nm-1]より小さい構造にすることにより、残留磁界強度を記録電流印加時に補助磁極から発生する磁界強度と同等以下の１０％程度に低減できる。これは、主磁極において浮上面に平行な断面積が浮上面に向かって減少する絞込み部分の最も浮上面に近い位置から主磁極浮上面までの距離と、主磁極浮上面の面積との比を小さくすることにより、残留磁化が磁極内で浮上面に平行に還流するためである。
図８は比が大きい場合の残留磁化状態を計算した結果であり、ディスク回転方向から見た磁化状態である。図９は比が小さい場合の残留磁化状態を計算した結果であり、残留磁化が磁極内で浮上面に平行に還流し、これにより残留磁化の垂直成分が減少する事を見出した。図９(a)はディスク回転方向から見た磁化状態、図９(ｂ)は浮上面の磁化状態である。
（実施例２）
本実施例に記載の発明は、主磁極と補助磁極とを備えた記録ヘッドと、再生素子を備えた再生ヘッドとを有し、前記主磁極において浮上面に平行な断面積が浮上面に向かって減少する絞込み部分を有し、該絞込み部分の最も浮上面に近い位置から主磁極浮上面までの距離と、主磁極記録トラック幅との比が0より大きくかつ0.33以下の構造であることを特徴とする垂直磁気記録用単磁極ヘッドである。図１０に残留磁界強度の減少を示した。縦軸は、同じ構造のヘッドの記録磁界強度で規格化した値である。
（実施例３）
本実施例に記載の発明は、主磁極と補助磁極とを備えた記録ヘッドと、再生素子を備えた再生ヘッドとを有し、前記主磁極において浮上面に平行な断面積が浮上面に向かって減少する絞込み部分を有し、該絞込み部分の最も浮上面に近い位置から主磁極浮上面までの距離と、主磁極ディスク回転方向の膜厚との比が0より大きくかつ0.33以下の構造であることを特徴とする垂直磁気記録用単磁極ヘッドである。
（実施例４）
本実施例に記載の発明は、主磁極と補助磁極を有する記録ヘッドと磁気抵抗効果型再生素子を備えた単磁極型の記録再生ヘッドを搭載した磁気ヘッドスライダであり、前記主磁極が実施例１、２、３で示した構造を有することを特徴とする磁気ヘッドスライダである。
【０００７】
本実施例の磁気ヘッドスライダの概略は図３に示されている。
（実施例５）
本実施例に記載の発明は、主磁極と補助磁極を有する記録ヘッドと磁気抵抗効果型再生素子を備えた単磁極型の記録再生ヘッドを搭載した磁気ヘッドスライダと、磁気ヘッドスライダを支持するジンバルと、ジンバルを固定するサスペンションとを備えたヘッド・アッセンブリであって、前記主磁極が実施例１、２、３で示した構造を有することを特徴とするヘッド・アッセンブリである。
【０００８】
本実施例のヘッド・アッセンブリの概略は図３に示されているサスペンションアーム１２と磁気ヘッドスライダを組み合わせたものである。図では省略しているが、ジンバルはサスペンションアーム１２の先端部に接合されている。したがって、サスペンションアームとは別の部品であるが、サスペンションアーム１２の先端部に一体形成されていることもある。
（実施例６）
本実施例に記載の発明は、二層垂直磁気記録媒体と、単磁極型記録再生ヘッドと、記録媒体を一定方向に回転駆動する駆動装置とを備えた磁気ディスク装置であって、前記主磁極が実施例１、２、３で示した構造を有することを特徴とする磁気ディスク装置である。狭トラック化において記録後消去のない磁気ディスク装置を製造することができる。
【０００９】
【発明の効果】
垂直記録用磁気ヘッドの主磁極において浮上面に平行な断面積が浮上面に向かって減少する絞込み部分を有し、該絞込み部分の最も浮上面に近い位置から主磁極浮上面までの距離と、主磁極浮上面の面積との比が0より大きくかつ0.002[nm-1]より小さい構造にすることにより、記録後の記録磁極の残留磁化により発生する残留磁界により垂直記録媒体上の記録情報が消去するという問題が生じない垂直記録用磁気ヘッドを提供でき、さらに、これを用いた磁気ディスク装置を得ることができる。
【図面の簡単な説明】
【図１】本発明による単磁極ヘッドの残留磁界の減少を示した図。
【図２】従来の単磁極ヘッドの残留磁界の増加を示した図。
【図３】本発明の実施の形態における磁気ディスク装置の概念の概略図である（但し、拡大倍率は均一ではない）。
【図４】本発明の実施の形態における垂直記録用磁気ヘッドと磁気ディスクとの関係の概略図（但し、拡大倍率は均一ではない）。
【図５】垂直記録の概略図（但し、拡大倍率は均一ではない）。
【図６】一般的な単磁極ヘッドからトラック中心位置での記録磁界分布を示した図。
【図７】本発明による単磁極ヘッドの寸法比の概略を説明した図。（但し、拡大倍率は均一ではない）
【図８】従来の単磁極ヘッドの残留磁化状態の計算結果を示した図。（但し、拡大倍率は均一ではない）
【図９】本発明による単磁極ヘッドの残留磁化状態の計算結果を示した図。（但し、拡大倍率は均一ではない）
【図１０】本発明による単磁極ヘッドの別の残留磁界の減少を示した図。
【符号の説明】
１…主磁極、２…コイル、３…補助磁極、４…主磁極膜厚、５…記録トラック幅、７…再生素子、８…下部シールド、１１…磁気ディスク、１２…サスペンションアーム、１３…磁気ヘッドスライダー、１４…磁気ヘッド、１５…ロータリーアクチュエータ、１６…記録ヘッド、１７…ディスク回転方向、１８…再生ヘッド、１９…記録層、２０…裏打ち層、２１…浮上面、２３…ディスク半径方向、２４…トレーリング側、２５…リーディング側、２７…レジスト、２８…無機絶縁膜、２９…磁性膜 、３０…空気流出端、３１…空気流入端、３２…浮上面に最も近い絞り込み部分、３３…浮上面に最も近い絞り込み部分から浮上面までの距離、３４…主磁極浮上面、３５…主磁極浮上面膜厚。
【図１】
0004653924.tif 000002
【図２】
0004653924.tif 000003
【図３】
0004653924.tif 000004
【図４】
0004653924.tif 000005
【図５】
0004653924.tif 000006
【図６】
0004653924.tif 000007
【図７】
0004653924.tif 000008
【図８】
0004653924.tif 000009
【図９】
0004653924.tif 000010
【図１０】
0004653924.tif 000011